【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
プロセス制御システム内の装置に複数のトリップ限界値を適用する方法であって、
前記装置の動作と関連づけられたパラメータの値を監視することと、
前記装置の動作状態を示す第一の入力又は第二の入力である入力を受け取ることであって、前記第一の入力は前記装置の第一の動作状態を示し、前記第二の入力は前記装置の第二の動作状態を示すことと、
前記第一の入力を受け取った場合は、機能ブロックを介して前記パラメータの値を第一のトリップ限界値と比較することと、
前記第二の入力を受け取った場合は、前記機能ブロックを介して前記パラメータの値を第二のトリップ限界値と比較することと、
前記比較に基づいて応答を実施することとを含む、方法。
【請求項２】
前記入力はキースイッチまたは押しボタンの少なくとも一方を介して受け取られる、請求項１に記載の方法。
【請求項３】
前記応答は、オペレータにアラームを送ること、前記装置を前記第一の動作状態および前記第二の動作状態とは異なる第三の動作状態に移行させること、または前記装置を停止させることの中の少なくとも１つを含む、請求項１又は請求項２に記載の方法。
【請求項４】
前記入力が前記第二の入力に変化した時に、タイムリミットまでの時間を計測するためにタイマーを作動させることと、
前記タイムリミットを経過した後、前記入力にかかわらず、前記機能ブロックを介して前記パラメータの値を前記第一のトリップ限界値と比較することとをさらに含む、請求項１〜請求項３の何れか１項に記載の方法。
【請求項５】
前記タイムリミット、前記第一のトリップ限界値、および前記第二のトリップ限界値は、オペレータまたはエンジニアの少なくとも一方により、独立して前記機能ブロックに入力される、請求項４に記載の方法。
【請求項６】
前記装置の前記第一の動作状態は前記装置の通常動作状態に対応し、及び前記装置の前記第二の動作状態は前記装置の異常動作状態に対応する、請求項１〜請求項５の何れか１項に記載の方法。
【請求項７】
前記第一のトリップ限界値が前記パラメータの第一の下限値に対応し、前記第二のトリップ限界値が該第一の下限値よりも低い前記パラメータの第二の下限値に対応するか、あるいは前記第一のトリップ限界値が前記パラメータの第一の上限値に対応し、前記第二のトリップ限界値が該第一の上限値よりも高い前記パラメータの第二の上限値に対応する、請求項１〜請求項６の何れか１項に記載の方法。
【請求項８】
動作時に機能ブロックを実行するプロセッサであって、該機能ブロックの実行は、
プロセス制御システム装置の動作状態を示す入力を受け取ることと、
前記プロセス制御システム装置の動作と関連づけられたパラメータの第一のトリップ限界値および第二のトリップ限界値を受け取ることであって、該第一のトリップ限界値および第二のトリップ限界値はそれぞれ前記プロセス制御システム装置の第一の動作状態および第二の動作状態と関連づけられていることと、
前記プロセス制御システム装置が前記第一の動作状態にあることを前記入力が示している時に前記第一のトリップ限界値を有効化し、
前記プロセス制御システム装置が前記第二の動作状態にあることを前記入力が示している時に前記第二のトリップ限界値を有効化し、
前記パラメータが前記有効化された前記第一のトリップ限界値又は前記第二のトリップ限界値を超えた時点を判定する
ことによって、前記プロセス制御システム装置が動作状態にある時点を判定することと、
前記プロセス制御システム装置が前記動作状態にある時に応答を実施することとを目的とする、プロセッサ。
【請求項９】
キースイッチまたは押しボタンの少なくとも一方を介して前記入力が受け取られる、請求項８に記載のプロセッサ。
【請求項１０】
前記応答は、オペレータにアラームを送ること、前記プロセス制御システム装置を前記第一の動作状態および前記第二の動作状態と異なる第三の動作状態に移行させること、または前記プロセス制御システム装置を停止させることの中の少なくとも１つを含む、請求項８又は請求項９に記載のプロセッサ。
【請求項１１】
動作時に前記機能ブロックを実行し、該機能ブロックの実行は、
タイムリミットまでの時間を計測するために前記第二のトリップ限界値が最初に有効化された時点でタイマーを作動させることと、
前記タイムリミットを経過した後、いずれのトリップ限界値が有効化されているかにかかわらず、前記パラメータが前記第一のトリップ限界値を超えた時点を判定することによって前記プロセス制御システム装置が前記動作状態にある時点を判定することとを目的とする、請求項８〜請求項１０の何れか１項に記載のプロセッサ。
【請求項１２】
前記プロセス制御システム装置の前記第一の動作状態は前記プロセス制御システム装置の通常動作状態に対応し、前記プロセス制御システム装置の前記第二の動作状態は前記通常動作状態以外の動作状態に対応する、請求項８〜請求項１１の何れか１項に記載のプロセッサ。
【請求項１３】
前記第一のトリップ限界値が前記パラメータの第一の下限値に対応し、前記第二のトリップ限界値が前記第一の下限値よりも低い前記パラメータの第二の下限値に対応するか、または前記第一のトリップ限界値が前記パラメータの第一の上限値に対応し、前記第二のトリップ限界値が前記第一の上限値よりも高い前記パラメータの第二の上限値に対応する、請求項８〜請求項１２の何れか１項に記載のプロセッサ。
【請求項１４】
前記動作状態は安全でない状態に対応する、請求項８〜請求項１３の何れか１項に記載のプロセッサ。
【請求項１５】
機械可読命令を格納する有形製造品であって、該機械可読命令は、実行時にマシンに少なくとも、
プロセス制御システム装置の動作と関連づけられたパラメータの値を監視することと、
前記プロセス制御システム装置の動作状態を示す第一の入力又は第二の入力である入力を受け取ることであって、前記第一の入力は前記プロセス制御システム装置の第一の動作状態を示し、前記第二の入力は前記プロセス制御システム装置の第二の動作状態を示すことと、
前記第一の入力を受け取った場合は、機能ブロックを介して前記パラメータの値を第一のトリップ限界値と比較することと、
前記第二の入力を受け取った場合は、前記機能ブロックを介して前記パラメータの値を第二のトリップ限界値と比較することと、
前記比較に基づいて応答を実施することとを実行させる、有形製造品。
【請求項１６】
キースイッチまたは押しボタンの少なくとも一方を介して前記入力が受け取られる、請求項１５に記載の有形製造品。
【請求項１７】
前記応答は、オペレータにアラームを送ること、前記プロセス制御システム装置を前記第一の動作状態および前記第二の動作状態と異なる第三の動作状態に移行させること、または前記プロセス制御システム装置を停止させることの中の少なくとも１つを含む、請求項１５又は請求項１６に記載の有形製造品。
【請求項１８】
前記機械可読命令は、実行時に前記マシンに、
前記入力が前記第二のトリップ限界値に変化した時に、タイムリミットまでの時間を計測するためにタイマーを作動させることと、
前記タイムリミットを経過した後、前記入力にかかわらず、前記機能ブロックを介して前記パラメータの値を前記第一のトリップ限界値と比較することとをさらに実行させる、請求項１５〜請求項１７の何れか１項に記載の有形製造品。
【請求項１９】
前記プロセス制御システム装置の前記第一の動作状態は前記プロセス制御システム装置の通常動作状態に対応し、前記プロセス制御システム装置の前記第二の動作状態は前記プロセス制御システム装置の異常動作状態に対応する、請求項１５〜請求項１８の何れか１項に記載の有形製造品。